(57)【特許請求の範囲】
【請求項１】
棒状のカーテンレールに複数のリングランナーを移動可能に支持し、前記リングランナーからカーテン生地を吊下支持して該カーテン生地をカーテンレールに沿って引き出し及び畳み込み可能としたカーテンにおいて、
前記カーテンレールの少なくとも一端を、該カーテンレールの端面に対向する取付面にブラケットを介して取着可能とし、前記ブラケットと取付面との間にはフックプレートを挟着固定可能とし、前記フックプレートにカーテン生地の最後尾を吊下支持するフック部を設け、
前記フックプレートには、カーテン生地の最後尾の吊下高さを調節する調節手段を設けたことを特徴とするカーテンレール取付装置。
【請求項２】
前記ブラケットの基端面には、前記フックプレートを仮止めする仮止め手段を設け、前記フックプレートを前記ブラケットの基端面に仮止めした状態で、該フックプレートとブラケットとを前記取付面に一体に取着可能としたことを特徴とする請求項１記載のカーテンレール取付装置。
【請求項３】
前記ブラケットとフックプレートには、それぞれ取付孔を設け、その取付孔を貫通するネジで取付面に一括して固定可能とし、前記フックプレートには前記取付孔を複数個所設けて、前記ネジを貫通させる取付孔を選択可能とすることにより前記調節手段を構成したことを特徴とする請求項１又は２に記載のカーテンレール取付装置。
【請求項４】
前記フックプレートを金属板で形成したことを特徴とする請求項１乃至３のいずれかに記載のカーテンレール取付装置。
【発明の詳細な説明】
【０００１】
【発明の属する技術分野】
この発明は、丸棒状装飾カーテンレールを壁面間に支持する壁面ブラケットに関するものである。
【０００２】
【従来の技術】
従来、カーテンの一種類として、丸棒状の装飾カーテンレールに対し多数のリング状のカーテンランナーを移動可能に支持し、そのリングランナーにカーテン生地を吊下支持したものがある。
【０００３】
このようなカーテンにおいて、装飾カーテンレールを壁面間に支持する場合には、図４に示すように、壁面１に固定された壁面ブラケット２で、装飾カーテンレール３の端部を支持する構成が採用されている。
【０００４】
このようなカーテンでは、カーテンを引き出すとき、最後尾のリングランナー４ａがカーテン生地５とともに引張られて、カーテン生地５と壁面１との間に隙間Ｓが生じ、この隙間Ｓから光が洩れるという問題点がある。
【０００５】
そこで、このような不具合を解決するために、実用新案登録公報第２５７３７１２号公報には、壁面ブラケットと壁面との間に最後尾のリングランナーを固定して、カーテン生地の移動にともなう最後尾のリングランナーの移動を阻止する構成が開示されている。
【０００６】
また、実公平６−４７８３号公報には、壁面ブラケットの座部に筒状ブラケットを介してフック係止金具をネジ止めし、そのフック係止金具にカーテン生地の最後尾を吊下支持する構成が開示されている。
【０００７】
【発明が解決しようとする課題】
ところが、実用新案登録公報第２５７３７１２号公報に開示された構成では、最後尾のリングランナーのフックにカーテン生地の最後尾が支持されているので、カーテン生地の引き出し操作時に、最後尾のリングランナーのフックが強く引張られると、そのフックが破損するという問題点がある。
【０００８】
また、実公平６−４７８３号公報に開示された構成では、部品点数の増大及び組立工数の増大により、製造コストの上昇を招くという問題点がある。
この発明の目的は、カーテン生地と壁面との間の隙間の発生を未然に防止し、かつカーテン生地の引き出し操作時の操作力に対し十分な強度を確保しながら、部品点数の増大及び組立工数の増大を防止し得るカーテンレール取付装置を提供することにある。
【０００９】
【課題を解決するための手段】
請求項１では、棒状のカーテンレールに複数のリングランナーを移動可能に支持し、前記リングランナーからカーテン生地を吊下支持して該カーテン生地をカーテンレールに沿って引き出し及び畳み込み可能としたカーテンにおいて、前記カーテンレールの少なくとも一端を、該カーテンレールの端面に対向する取付面にブラケットを介して取着可能とし、前記ブラケットと取付面との間にはフックプレートを挟着固定可能とし、前記フックプレートにカーテン生地の最後尾を吊下支持するフック部を設け、前記フックプレートには、カーテン生地の最後尾の吊下高さを調節する調節手段を設けた。
【００１０】
請求項２では、前記ブラケットの基端面には、前記フックプレートを仮止めする仮止め手段を設け、前記フックプレートを前記ブラケットの基端面に仮止めした状態で、該フックプレートとブラケットとを前記取付面に一体に取着可能とした。
【００１１】
請求項３では、前記ブラケットとフックプレートには、それぞれ取付孔を設け、その取付孔を貫通するネジで取付面に一括して固定可能とし、前記フックプレートには前記取付孔を複数個所設けて、前記ネジを貫通させる取付孔を選択可能とすることにより前記調節手段を構成した。
【００１２】
請求項４では、前記フックプレートを金属板で形成した。
【００１３】
【発明の実施の形態】
以下、この発明を具体化した一実施の形態を図面に従って説明する。なお、前記従来例と同一構成部分は、同一符号を付して説明する。
【００１４】
装飾カーテンレール３の両端は、壁面１に支持された壁面ブラケット６ａ，６ｂにそれぞれ支持されている。前記装飾カーテンレール３には、多数のリングランナー４が同カーテンレール３の軸方向に移動可能に支持され、そのリングランナー４に両開き式のカーテン生地５が吊下支持されている。
【００１５】
そして、各カーテン生地５を装飾カーテンレール３の中央部に引き出し、あるいは壁面１近傍に畳み込むことにより、カーテンを開閉可能となっている。
前記壁面ブラケット６ａ，６ｂと壁面１との間には、フックプレート７ａ，７ｂがそれぞれ支持され、そのフックプレート７ａ，７ｂに各カーテン生地５の最後尾が吊下支持されている。
【００１６】
次に、前記壁面ブラケット６ａ，６ｂ及びフックプレート７ａ，７ｂの具体的構成を説明する。
図２に示すように、一方の壁面ブラケット６ａは前記装飾カーテンレール３より径の大きい円柱状に形成され、その中心部には取付孔８が形成されている。
【００１７】
前記壁面ブラケット６ａの先端面下部には、上方に向かって凹曲面となる軸受部９が形成され、前記装飾カーテンレール３を支持可能となっている。また、前記壁面ブラケット６ａの基端面には、両面テープ１０が貼着されている。
【００１８】
前記フックプレート７ａは、金属板で形成されて前記壁面ブラケット６ａの基端面の両面テープ１０に貼着可能であり、その中央部に取付孔１１ａ，１１ｂが形成されている。
【００１９】
前記フックプレート７ａの下端部は、前記壁面ブラケット６ａの取付孔８と、フックプレート７ａの取付孔１１ａ，１１ｂのいずれかを位置合わせした状態で、壁面ブラケット６ａの下縁より下方へ突出するように形成され、その一側縁は装飾カーテンレール３側に直角に折り曲げられて、フック部１２が形成されている。前記フック部１２は、前記取付孔１１ａ，１１ｂの中心を結んだ線の延長上に位置し、そのフック部１２に掛止孔１３が形成されている。
【００２０】
このような壁面ブラケット６ａ及びフックプレート７ａは、壁面ブラケット６ａの取付孔８と、フックプレート７ａの取付孔１１ａ，１１ｂのいずれかを位置合わせしながら、フックプレート７ａを壁面ブラケット６ａの基端面に貼着し、壁面ブラケット６ａの先端面からその取付孔にネジ１４ａを挿通し、そのネジ１４ａを壁面１に螺入すれば、壁面ブラケット６ａ及びフックプレート７ａが壁面１に固定される。このとき、軸受部９は上方に向かって凹曲面となるように位置させ、フック部１２は取付孔１１ａ，１１ｂの真下に位置させる。
【００２１】
図３に示すように、前記壁面ブラケット６ｂはその基端面に両面テープ１０が貼着され、先端面には装飾カーテンレール３の端部を嵌挿可能とした凹部１５が形成されている。また、凹部１５の中心部にはネジ１４ｂを挿通可能とする取付孔が形成されている。
【００２２】
壁面ブラケット６ｂと壁面１との間に配設されるフックプレート７ｂは、前記フックプレート７ａと同一構成のものを前後方向に入れ替えることにより、そのフック部１２が装飾カーテンレール３方向に突出する。
【００２３】
このような壁面ブラケット６ｂ及びフックプレート７ｂは、壁面ブラケット６ｂの取付孔と、フックプレート７ｂの取付孔１１ａ，１１ｂのいずれかを位置合わせしながら、フックプレート７ｂを壁面ブラケット６ｂの基端面に貼着し、壁面ブラケット６ｂの先端面からその取付孔にネジ１４ｂを挿通し、そのネジ１４ｂを壁面１に螺入すれば、壁面ブラケット６ｂ及びフックプレート７ｂが壁面１に固定される。このとき、軸受部９は上方に向かって凹曲面となるように位置させ、フック部１２は取付孔１１ａ，１１ｂの真下に位置させる。
【００２４】
上記のように壁面１に取着された壁面ブラケット６ａ，６ｂに対し装飾カーテンレール３を取付けるには、あらかじめリングランナー４及びカーテン生地５を装飾カーテンレール３から吊下支持し、そのカーテンレール３の一端を壁面ブラケット６ｂの凹部１５に嵌挿し、他端を壁面ブラケット６ａの軸受部９に載置すると、装飾カーテンレール３が壁面ブラケット６ａ，６ｂ間に支持される。
【００２５】
そして、上記のように各壁面ブラケット６ａ，６ｂと壁面１との間に固定されたフックプレート７ａ，７ｂの掛止孔１３に各カーテン生地５の最後尾を掛止する。
【００２６】
このように構成されたカーテンでは、各カーテン生地５を装飾カーテンレール３の中央部に向かって引き出すと、各リングランナー４が装飾カーテンレール３上を移動する。
【００２７】
このとき、各カーテン生地５の最後尾は、フックプレート７ａ，７ｂに吊下支持されているので、壁面１から離れることはない。
上記のように構成されたカーテンの壁面ブラケット６ａ，６ｂでは、次に示す作用効果を得ることができる。
【００２８】
（１）壁面ブラケット６ａ，６ｂと壁面１との間に固定したフックプレート７ａ，７ｂでカーテン生地５の最後尾を吊下支持することができるので、カーテン生地５を引き出したとき、カーテン生地５の最後尾と壁面１との間での隙間の発生を防止することができる。
【００２９】
（２）フックプレート７ａ，７ｂは、金属板で構成されているので、十分な強度を確保することができる。
（３）壁面ブラケット６ａ，６ｂ及びフックプレート７ａ，７ｂを壁面１に取付けるには、フックプレート７ａ，７ｂを壁面ブラケット６ａ，６ｂの基端面に貼着し、次いで壁面ブラケット６ａ及びフックプレート７ａと、壁面ブラケット６ｂ及びフックプレート７ｂとを一括して壁面１にネジ１４ａ，１４ｂで固定すればよいので、その取付作業は容易である。
【００３０】
（４）フックプレート７ａ，７ｂのみを壁面ブラケット６ａ，６ｂとともに壁面１に固定すればよいので、部品点数の増大を防止することができる。
（５）フックプレート７ａ，７ｂの取付孔１１ａ，１１ｂのいずれかを選択して壁面ブラケット６ａ，６ｂの取付孔８に位置合わせすることにより、フックプレート７ａ，７ｂの掛止孔１３と、装飾カーテンレール３の中心との間隔を調節することができる。従って、装飾カーテンレール３の径あるいはリングランナー４の径の変化に対応して、掛止孔１３の高さ位置を調節することができるので、カーテン生地の吊下高さを最適に設定することができる。
【００３１】
上記実施の形態は、次に示すように変更することもできる。
・装飾カーテンレール３の一端を壁面ブラケット６ｂで壁面１に支持し、他端側を正面付けブラケットで支持してもよい。この場合には、フックプレートはカーテンの一側にのみ配設されるので、片開き式のカーテンとすればよい。
・フックプレート７ａ，７ｂは、両面テープ１０以外の他の手段で仮止めしてもよい。
・フックプレート７ａ，７ｂは、カーテン生地５の引張り操作時に作用する力に耐え得る強度を確保することができれば、金属以外の材質としてもよい。
【００３２】
【発明の効果】
以上詳述したように、この発明はカーテン生地と壁面との間の隙間の発生を未然に防止し、かつカーテン生地の引き出し操作時の操作力に対し十分な強度を確保しながら、部品点数の増大及び組立工数の増大を防止し得るカーテンレール取付装置を提供することができる。
【図面の簡単な説明】
【図１】カーテンレール取付装置を示す正面図である。
【図２】カーテンレール取付装置を示す分解斜視図である。
【図３】カーテンレール取付装置を示す分解斜視図である。
【図４】従来例を示す正面図である。
【符号の説明】
１              取付面（壁面）
３              カーテンレール
４              リングランナー
５              カーテン生地
６ａ，６ｂ      ブラケット
７ａ，７ｂ      フックプレート
１２            フック部
【図１】
0003548064.tif 000002
【図２】
0003548064.tif 000003
【図３】
0003548064.tif 000004
【図４】
0003548064.tif 000005